(57)【要約】      （修正有）【課題】カットスイカのカット面に直に触れるフィルム面が汚れるおそれがないようにしたもので、カットスイカを衛生的に綺麗に包装できるカットスイカ用包装袋を提供する。【解決手段】カットスイカ用包装袋１は、稜線Ｒが表われるようにカットされたカットスイカＳの包装袋であって、チューブ状に押出成形され、かつ、扁平に潰して両辺に折線を形成させてなるチューブ状プラスチック材を、カットスイカが長さ方向（直径方向）に収容できるように切断するか、カットスイカが厚み方向（半径方向）に収容できるように熱切断してカットスイカの稜線及びカット面を包装することにより、カットスイカに接するフィルム面が生産機械や作業者の手に一切触れないようにし、衛生的にきれいに保てる。【選択図】図１
2014019499.tif 000002
【特許請求の範囲】
【請求項１】
稜線が表われるようにカットされたカットスイカの包装袋であって、チューブ状に押出成形され、かつ、扁平に潰して両辺に折線を形成させてなるチューブ状プラスチック材を、前記カットスイカが長さ方向に収容できるように切断し、その一方の切断線を袋口とし、前記一辺の折線をカットスイカの稜線当接部とするとともに、該稜線当接部の先端からカットスイカの外皮に対応する熱切断部を介して前記他辺の折線に繋げたことを特徴とするカットスイカ用包装袋。
【請求項２】
稜線が表われるようにカットされたカットスイカの包装袋であって、チューブ状に押出成形され、かつ、扁平に潰して両辺に折線を形成させてなるチューブ状プラスチック材を、前記カットスイカが厚さ方向に収容できるように熱切断し、その一辺の折線に沿って切断した部位を袋口とし、上熱切断線をカットスイカの稜線当接部とするとともに、該稜線当接部の先端からカットスイカの外皮に対応する熱切断部を介して下熱切断線に繋げたことを特徴とするカットスイカ用包装袋。
【発明の詳細な説明】
【技術分野】
【０００１】
本発明は、稜線が表われるようにカットされたスイカ、例えば、１／４カットスイカを視覚的に綺麗に、しかも衛生的に包み込むことのできるカットスイカ用包装袋に関するものである。
【背景技術】
【０００２】
スイカ（西瓜）は球形又は長球形であって、重さは１５ｋｇに達するものもある。果皮は濃緑から黄色まで変異に富み、縦の縞模様があるものが多い。果肉は紅色が普通であるが、黄色や白色のものもある。このスイカは丸のまま売られることも多いが、核家族化や小子化の影響もあって、最近では１／４、１／８、１／１６にカットして販売されることもある。このようなカットスイカは果肉が露出しているので、熟れ具合が判る点で消費者に喜ばれている。
【０００３】
上記カットスイカのカット面は、そのまま食べる面であることから、これが露出したままであると、水分が蒸発して新鮮さが失われてしまうし、埃などの付着があって衛生上も好ましくはない。そこで、店頭における陳列時には、そのカット面を覆うように包装できるカットスイカ用包装袋（特許第４１９５１７５号）が使用されるようになった。この特許は本発明者が完成させたものである。
【特許文献１】特許第４１９５１７５号
【発明の開示】
【発明が解決しようとする課題】
【０００４】
しかしながら、上記特許文献１のカットスイカ用包装袋は、図６（ａ）の如く、透明基材（プラスチック材）５１を二つ折りし、その折線５２を一辺Ａとして直線のまま残し、カットスイカの稜線当接部とするとともに、該稜線当接部の先端Ｂからカットスイカの外皮（果皮）に対応する円弧を描いて熱切断５３し、図６（ｂ）の如く、他辺Ｃの直線状の熱切断５４に繋げてなる。しかして、手前辺Ｄを袋口５５としていた。この透明基材（プラスチック材）５１を二つ折り作業中には、カットスイカのカット面に接するフィルム面が生産機械や作業者の手に触れて汚れるおそれがあった。
【０００５】
本発明は、上記の問題（課題）を解消するためのもので、カットスイカのカット面に接するフィルム面が生産機械や作業者の手によって汚れないようにし、カットスイカをより衛生的に綺麗に包み込むことのできるカットスイカ用包装袋を提供することを目的としている。
【課題を解決するための手段】
【０００６】
上記目的を達成するため、本発明に係るカットスイカ用包装袋は、稜線が表われるようにカットされたカットスイカの包装袋であって、チューブ状に押出成形され、かつ、扁平に潰して両辺に折線を形成させてなるチューブ状プラスチック材を、前記カットスイカが長さ方向に収容できるように切断し、その一方の切断線を袋口とし、前記一辺の折線をカットスイカの稜線当接部とするとともに、該稜線当接部の先端からカットスイカの外皮に対応する熱切断部を介して前記他辺の折線に繋げたことを特徴とし、カットスイカのカット面に接するフィルム面が生産機械や作業者の手に触れて汚されず、衛生的にきれいに保てるように構成した。
【０００７】
また、請求項２に係るカットスイカ用包装袋は、稜線が表われるようにカットされたカットスイカの包装袋であって、チューブ状に押出成形され、かつ、扁平に潰して両辺に折線を形成させてなるチューブ状プラスチック材を、前記カットスイカが厚さ方向に収容できるように熱切断し、その一辺の折線に沿って切断した部位を袋口とし、上熱切断線をカットスイカの稜線当接部とするとともに、該稜線当接部の先端からカットスイカの外皮に対応する熱切断部を介して下熱切断線に繋げたことを特徴とし、カットスイカのカット面に接するフィルム面が生産機械や作業者の手に触れて汚されず、衛生的にきれいに保てるように構成した。
【発明の効果】
【０００８】
本発明によれば、カットスイカを包装する包装袋は、もともとチューブ状に押出成形され、かつ、扁平に潰されたチューブ状プラスチック材を使うために、カットスイカのカット面に接するフィルム面が生産機械や作業者の手に触れて汚されず、常に、衛生的にきれいに保てるという優れた効果を奏するものである。
【発明を実施するための最良の形態】
【０００９】
次に、本発明の実施の態様を説明する。図１は本願包装袋を用いて稜線を持つカットスイカを包装した状態を示す斜視図、図２はカットスイカの長さ方向に切断したチューブ状プラスチック材を示す正面図、図３はカットスイカの厚さ方向に熱切断したチューブ状プラスチック材を示す正面図、図４は切断したチューブ状プラスチック材にカットスイカの外皮に対応して円弧に熱切断した斜視図、図５はカットスイカの挿入時の斜視図で、（ａ）は一部挿入時、（ｂ）は完全挿入時である。
【００１０】
本願包装袋１は、図１の如く、例えば、１個のスイカ（西瓜）を、１／４や１／８或いは１／１６にカットして販売する場合において、そのカットスイカＳの稜線Ｒやカット面Ｋを含む全体を美麗にしかも衛生的にきれいに包装できるようにしたプラスチック材Ｐからなる。該本願包装袋１には、袋口２を有し、該袋口２を開いた状態でカットスイカＳを挿入し、その稜線Ｒを、本願包装袋１の稜線当接部４に合致させてから閉じ代を絞り込んで閉じ具３により閉じることにより封緘する。該閉じ具３は図示していないが、輪ゴムでも粘着テープでもその他でもよいことは勿論である。
【００１１】
前記本願包装袋１を構成するチューブ状プラスチック材Ｐは、押出機（図示せず）によりチューブ状に押出成形され、かつ、扁平に潰して両辺に折線を形成させてなる、いわゆるチューブ状プラスチック材が使われる。このチューブ状プラスチック材Ｐは、ＰＰやＰＥＴその他が使用される。また、透明性を有していると、袋外から内部のカットスイカＳの果肉の色や熟れ具合などが見えるので好ましい。
【００１２】
前記チューブ状プラスチック材Ｐは、図２の如く、カットスイカＳが長さ方向（直径方向）に収容できる寸法毎に横断（輪切り）的に切断１ａ、１ｂするか、図３の如く、横巾を拡大して、カットスイカＳが厚み方向（半径方向）に収容できるように横断（輪切り）的に熱切断１ａ′、１ｂ′する。
【００１３】
図２の場合には、一方の切断（図の上）１ａを袋口２とし、チューブ状プラスチック材Ｐの一辺Ａを稜線当接部４とし、該稜線当接部４の先端（図の下）５からカットスイカＳの外皮Ｓ′に対応する熱切断部（一点鎖線）４′が他辺Ｃとの交点５′で合流する。また、袋口２側には、閉じ具３により閉じるための閉じ代６が取られる。
【００１４】
図３の場合には、チューブ状プラスチック材Ｐの一辺Ａを辺に沿って切断７して袋口２を形成する。しかして、上熱切断線１ａ′は、カットスイカＳの稜線当接部４となるとともに、該稜線当接部４の先端（図の左）５からカットスイカＳの外皮Ｓ′の円弧に対応する熱切断部（一点鎖線）４′が下熱切断線１ｂ′との交点５′で合流する。とする。また、袋口２側には、閉じ具３により閉じるための閉じ代６が取られる。
【００１５】
なお、上記「切断」は、切断面が開口する（閉じられない）。一方、「熱切断」は、切断と溶着とを同時に行う技術で、熱シールに沿って切断する場合も含むものである。つまり「熱切断」された部分はその切断面が溶着（閉じられる）こととなる。
【００１６】
前記熱切断部４′は、カットスイカＳの外皮Ｓ′に沿って馴染むものあれば、滑らかな円弧にかぎらず、折れ線グラフ的に連続する円弧でも、場合によっては稜線当接部４の先端５と交点５′とを結ぶ直線であってもよい。
【００１７】
本願包装袋１は、図４の如く、チューブ状プラスチック材Ｐからの取り方は上述の如く複数あるとしても、袋口２があり、該袋口２側に閉じ具３で閉じるための閉じ代６があり、稜線当接部４があり、カットスイカＳの外皮Ｓ′に対応する熱切断部４′があれば良いものである。
【００１８】
次に、本願包装袋１の使用方法について説明する。まず、１／８にカットしたカットスイカＳを包装する場合、本願包装袋１の稜線当接部４を上に向け、袋口２より、図５（ａ）の如く、前記カットスイカＳの稜線Ｒを、前記稜線当接部４に合わせつつ挿入する。
【００１９】
この挿入を、更に、進めると、カットスイカＳの外皮Ｓ′が熱切断部４′に、図５（ｂ）の如く、触れる。このとき、熱切断部４′は、カットスイカＳの外皮Ｓ′の中心を通るようになる。すなわち、袋が巾方向に拡張させられるからである。その後は、袋口２側にある閉じ代６を絞り込み、図１の如く、閉じ具３により閉じればカットスイカＳはその稜線Ｒ及び合掌状に対向するカット面Ｋを含めて全体を衛生的に綺麗に包装することとなる。
【００２０】
本願包装袋１は、チューブ状プラスチック材により形成されているため、チューブ内面は、生産機械にも作業者の手にも一切触れることなく作成される。したがって、本願包装袋１にて包装されたカットスイカＳは、常に、衛生的に保たれた状態にて販売され、持ち帰えられることとなる。
【００２１】
なお、本願包装袋１は、そのサイズを調整することにより、カットスイカ以外にも、カットメロン、カットマンゴー、カットグレープフルーツ、その他のフルーツ類やケーキ等のスイーツ食品にも応用できることは勿論である。
【産業上の利用可能性】
【００２２】
本願包装袋は、カットスイカの販売等において、それを簡単に、しかも視覚的及び衛生的に綺麗に包み込むことができるもので、展示用の袋として、そのまま持ち帰り用の袋として果物屋、デパート、スーパーマーケット、コンビニなどにおいて販売できるものであり、その利用可能性は極めて広いものである。
【図面の簡単な説明】
【００２３】
【図１】本願包装袋を用いて稜線を持つカットスイカを包装した状態を示す斜視図である。
【図２】カットスイカの長さ方向に切断したチューブ状プラスチック材を示す正面図である。
【図３】カットスイカの厚さ方向に熱切断したチューブ状プラスチック材を示す正面図である。
【図４】切断したチューブ状プラスチック材にカットスイカの外皮に対応して円弧に熱切断した斜視図である。
【図５】カットスイカの挿入時の斜視図で、（ａ）は一部挿入時、（ｂ）は完全挿入時である。
【図６】従来のカットスイカの包装袋で、（ａ）は基材を二つ折りした状態の斜視図、（ｂ）は袋として完成した状態を示す斜視図である。
【符号の説明】
【００２４】
１  本願包装袋
１ａ、１ｂ  切断
１ａ′、１ｂ′  熱切断
２  袋口
３  閉じ具
４  稜線当接部
４′  熱切断部
５  先端
５′  交点
６  閉じ代
Ｐ  チューブ状プラスチック材
Ｓ  カットスイカ
Ｒ  稜線
Ｓ′  外皮（果皮）
Ａ  一辺
Ｃ  他辺
【図１】
2014019499.tif 000003
【図２】
2014019499.tif 000004
【図３】
2014019499.tif 000005
【図４】
2014019499.tif 000006
【図５】
2014019499.tif 000007
【図６】
2014019499.tif 000008